(57)【要約】【課題】荷台に搭載物（家庭用かごなどを含む搭載物）を固定するベルトに反射器材またはロゴマークやイラストを表示する表示器材を取付けられるようにする手段を提供することを目的とする。【解決手段】荷台１搭載物２の前後方向または左右方向に引掛け部材３３、動き止め部材３６、長さ調節部材３５を有するベルト３１を設けた荷台搭載物の固定手段で、引掛け部材の引掛け部の背面に受部を設け、表示部と掛け部を有する表示部材の掛け部を受部に引掛けることによって表示部材を取付け、表示部に描写シールや反射シールを貼るように構成する。【選択図】        図６
2018047793.tif 000002
【特許請求の範囲】
【請求項１】
自転車及び自動二輪車の荷台１に搭載物２を固定するために、荷台１（搭載物２）の前後方向または左右方向にそれぞれ少なくとも一つのベルト３１を荷台の外枠１ｃの下側を、前方においては前方左右枠１ａの下側を通すように設けて、そのベルト３１の先端に搭載物２に引掛ける引掛け部材３３を有し、ベルト３１の他端または途中に取付け、荷台２の枠に引っ掛けてベルト３１の滑りや搭載物２の動きを防止する動き止め部材３６を有し、さらに引掛け部材３３の近くにおいて長さ調節部材３５を有してベルト３１の長さを調節して搭載物２を締付け固定するようにした荷台１上の搭載物２の固定手段において、
引掛け部材３３の引掛け部３３ａの背面に受部３３ｄを設け、表示部３２ａと掛け部３２ｂを有する表示部材３２の掛け部３２ｂを受部３３ｄに引掛けることによって表示部材３２を取付け、表示部３２ａにイラスト９１やロゴマーク９２を描写するか描写シール９ｂを貼ったり、または表示部３２ａに反射シール９ａを貼ったり、またはイラスト９１やロゴマーク９２を描写した反射シール９１ａ，９２ａを貼ったりするように構成して、
イラスト９１やロゴマーク９２を表示する表示機能として、または反射器材９ａとして後方からの光を反射する機能として作用することを特徴とする自転車の荷台搭載物の固定用ベルトの表示手段。
【発明の詳細な説明】
【技術分野】
【０００１】
本発明は自転車及び自動二輪車の荷台搭載物の固定手段の各種表示に関するものである。
【背景技術】
【０００２】
自転車の荷台に搭載される専用の後かごの後側面には、後方車両の前照灯の光を反射して自転車の存在を示すため、反射器材としての反射シールが張られている。自転車後部の尾灯や反射器材が欠損した場合などに代用とすることや自転車の尾灯または反射器材に加えて光を反射して送ることでより明確に自転車の存在を示すことが目的である。しかし一般に市販されている荷物固定紐で荷台に搭載物（家庭用かごなどを含む搭載物）を固定する場合、紐にも搭載物にも反射器材は取付けられていない。
【０００３】
別の従来例として、特許文献１に示す自転車及び自動二輪車の荷台搭載物の固定手段についても同様である。図１に示すように、ベルト３１、連結部材としての引掛け部材３２、長さ調節部材３５、動き止め部材３６で構成された２つの固定手段３が、かご２を固定するために荷台（搭載物）の前後方向と左右方向に一つずつ設けられている。
特許文献１には別の例として、前述の前後方向と左右方向の２つの固定手段３が、中央付近で分断されたような形状の例が示されている。特許文献１に示されているこれらの従来例にはいずれも反射器材が取付けられていない。
【０００４】
これら従来例に反射器材が取付けられていないのと同様に、荷台の搭載物や搭載物固定用紐や搭載物固定用ベルトにロゴマークやイラストを表示する表示器材も取付けられている例は見当たらない。
【先行技術文献】
【特許文献】
【０００５】
【特許文献１】特願２０１２−１６８３７２
【発明の概要】
【発明が解決しようとする課題】
【０００６】
搭載物固定用ベルトに反射器材または表示器材を取付けられるようにする構造を提供することを目的とする。
【課題を解決するための手段】
【０００７】
請求項１の発明の構成上の特徴と作用を示す。請求項１の発明は、自転車及び自動二輪車の荷台１に搭載物２を固定するために、荷台１（搭載物２）の前後方向または左右方向にそれぞれ少なくとも一つのベルト３１を荷台１の外枠１ｃの下側を、前方においては前方左右枠１ａの下側を通すように設けて、そのベルト３１の先端に搭載物２に引掛ける引掛け部材３３を有し、ベルト３１の他端または途中に取付け、荷台１の枠１ｂ、１ｄに引っ掛けてベルト３１の滑りや搭載物２の動きを防止する動き止め部材３６を有し、さらに引掛け部材３３の近くにおいて長さ調節部材３５を有してベルト３１の長さを調節して搭載物２を締付け固定するようにした荷台搭載物の固定手段において、
引掛け部材３３の引掛け部３３ａの背面に受部３３ｄを設け、表示部３２ａと掛け部３２ｂを有する表示部材３２の掛け部３２ｂを受部３３ｄに引掛けることによって表示部材３２を取付け、表示部３２ａにイラスト９１やロゴマーク９２を描写するか描写シール９ｂを貼ったり、または表示部に反射シール９ａを貼ったり、またはイラスト９１やロゴマーク９２を描写した反射シール９１ａ、９２ａを貼ったりするように構成して、
イラスト９１やロゴマーク９２を表示する表示機能として、または反射器材９ａとして後方からの光を反射する機能として作用するようにするものである。
【発明の効果】
【０００８】
本発明の自転車の荷台搭載物の固定手段の表示構造によれば、搭載物固定手段（ベルト）に反射器材または表示器材を取付けられるようにする構造を提供することができる。
【図面の簡単な説明】
【０００９】
【図１】従来例の荷台搭載物の固定手段                      を示す。
【図２】動き止め部材（抜止め付）                          を示す。
【図３】実施例１の荷台搭載物の固定手段と表示部            を示す。
【図４】実施例１の固定手段の１つのベルト全体図            を示す。
【図５】実施例１の引掛け部材と表示部材                    を示す。
【図６】実施例１の引掛け部材への表示部材の取付け          を示す。
【図７】別例の引掛け部材への表示部材の取付け              を示す。
【図８】表示部の描画例                                    を示す。
【発明を実施するための形態】
【００１０】
荷台１の搭載物２として家庭用かごや店舗用かごなどのかごを例に挙げ、本筋でないかごの取っ手部の描画を省略して説明する。
【実施例１】
【００１１】
請求項１に関する実施例１を図３〜図７に基づいて説明する。実施例１は、図１に示す従来の荷台搭載物の固定手段の構成、つまりベルト３１とその両方の先端に取付けた引掛け部材３３、ベルト３１の途中に取付けた２つの動き止め部材３６、引掛け部材３３の近くに取付けた２つの長さ調節部材３５の構成に加えて、図３に示すように任意の引掛け部材３３に表示部材３２を取付けるようにしたものである。かご２の前方向の引掛け部材３３には表示部材３２が取付けられておらず、かご２の後方向と左右方向の引掛け部材３３に取付けられている。かご２の後方向の表示部材３２は反射部材９ａにすることが好ましい。
【００１２】
図４は固定手段の１つのベルトの全体を示しており、従来例に対して表示部材３２が取付けられている固定手段（ベルト）３を示している。
図５に引掛け部材３３と表示部材３２の詳細を示し、図６にその取付け状態を示す。引掛け部材３３は引掛け部３３ａの背面に受部３３ｄが設けられている。一方、表示部材３２は表示部３２ａの裏面に掛け部３２ｂが設けられており、その掛け部３２ｂを引掛け部材３３の受部３３ｄに差込んで引掛け部材３３に取付けられるようになっている。
図７は別例の引掛け部材３３に表示部材３２を取付けた例を示す。
【００１３】
図８には、表示部材３２の表示部３２ａに表示される描画の例を示す。パンダの画像は(有)制御システムエンジニアリングのキャラクター、“パンダのつっくん及びパンダのさっしー”である。図８の左下の“ＣＳＥ”は (有)制御システムエンジニアリングのロゴマークである。これらパンダや猿のイラスト９１やロゴマーク９２を表示部３２ａに直接描写したり、イラスト９１やロゴマーク９２を描写したシールを貼付けて表示することができる。
またイラスト９１やロゴマーク９２を反射シール９１ａ、９２ａに描写して表示部３２ａに貼付けて、反射器材９ａとして機能させることもできる。
【産業上の利用可能性】
【００１４】
本発明は、自転車及び自動二輪車の荷台搭載物の固定手段を含む二輪車用品を製造する産業で利用される。
【符号の説明】
【００１５】
１        荷台
１ａ      前方左右枠
１ｂ      後方左右枠
１ｃ      外枠
１ｄ      内枠
１ｅ      支柱
２        搭載物（かご）
２ａ      上縁枠
２ｂ      取っ手穴
２ｃ      側面穴
３      （ベルト式）固定手段
３１      ベルト
３２      表示部材    
３２ａ    表示部      
３２ｂ    掛け部    
３３      引掛け部材  
３３ａ    引掛け部    
３３ｂ    支持部      
３３ｃ    曲げ部
３３ｄ    受部        （表示部材を受ける部分）
３４      雌雄結合部材
３４ａ    雌形結合部
３４ｂ    雄形結合部
３５      長さ調節部材
３６      動き止め部材
３６ａ    滑り止め部
３６ｂ    引掛け部
３６ｃ    抜止め部
９ａ      反射材（シール）
９ｂ      描画材（シール）
９１      イラスト
９１ａ    イラスト反射材（シール）
９１ｂ    イラスト描画材（シール）
９２      ロゴマーク
９２ａ    ロゴマーク反射材（シール）
９２ｂ    ロゴマーク描画材（シール）
【図１】
2018047793.tif 000003
【図２】
2018047793.tif 000004
【図３】
2018047793.tif 000005
【図４】
2018047793.tif 000006
【図５】
2018047793.tif 000007
【図６】
2018047793.tif 000008
【図７】
2018047793.tif 000009
【図８】
2018047793.tif 000010